(57)【要約】【課題】特に高齢者の口内を傷付けることなく且つ素早く洗浄できる簡易構造の口内洗浄具を提供する。【解決手段】外周面に径方向に突出する突起１６を有する柄１２と、この柄１２に嵌合されて突起１６に止着された円筒状の拭取り部材１４とを備えている。柄１２の、拭取り部材１４を取付けた側の先端部１８は、曲面とされている。突起１６は、拭取り部材１４を挿入して取付ける際に、拭取り部材１４が挿入し易くかつ離脱し難い形状に形成されていることが好ましい。突起１６は、頂部２１が曲面をなすと共に、周縁部２２が柄の外周面より径方向に突出する傘状部材２０を、柄の先端部に嵌着することにより構成してもよい。【選択図】図１
0003108720.tif 000002
【実用新案登録請求の範囲】
【請求項１】
外周面に径方向に突出する突起を有する柄と、
前記柄に嵌合されて前記突起に止着された円筒状の拭取り部材とを備えたことを特徴とする口内洗浄具。
【請求項２】
請求項１記載の口内洗浄具において、
前記柄の、前記拭取り部材を取付けた側の先端部を曲面としたことを特徴とする口内洗浄具。
【請求項３】
請求項１又は２に記載の口内洗浄具において、
前記突起は、頂部が曲面をなすと共に周縁部が前記柄の外周面より径方向に突出する傘状部材を、前記柄の先端部に嵌着してなるものであることを特徴とする口内洗浄具。
【請求項４】
請求項１又は２に記載の口内洗浄具において、
前記突起は、前記拭取り部材の一端面を押えるストッパを前記柄に配設したものであることを特徴とする口内洗浄具。
【請求項５】
請求項１又は２に記載の口内洗浄具において、
前記突起は、前記柄の先端部にねじ溝を形成してなるものであることを特徴とする口内洗浄具。
【考案の詳細な説明】
【技術分野】
【０００１】
本考案は、口内の汚れを拭き取って洗浄する簡易構造の口内洗浄具に関する。
【背景技術】
【０００２】
従来、口内洗浄具として、柄の一端部に、角形に形成したスポンジを取付けたものがある（特許文献１参照）。この口内洗浄具は、歯ブラシの代用品としたもので、ブラシ部分をスポンジに置き換えた構成である。したがって、スポンジは歯ブラシのブラシ部分とほぼ同様の形状をなしている。
【特許文献１】登録実用新案第３０８６７５７号公報
【考案の開示】
【考案が解決しようとする課題】
【０００３】
ところで、上記従来の口内洗浄具には、次のような解決すべき課題があった。
すなわち、上記の口内洗浄具は、歯ブラシのブラシ部分と同様にスポンジが柄の先端部の片面に接着されているため、口内で拭取り作業中にスポンジの向きを変えるために柄を種々回転しなければならない。
したがって、拭取り作業が煩雑になるだけではなく、柄の先端部が口内の各所にぶつかって口内を傷付けるおそれがあった。
本考案は、以上の点に着目してなされたもので、特に高齢者の口内を傷付けることなく且つ素早く洗浄できる簡易構造の口内洗浄具を提供することを目的とする。
【課題を解決するための手段】
【０００４】
本考案の各実施例においては、それぞれ次のような構成により上記の課題を解決する。
〈構成１〉
外周面に径方向に突出する突起を有する柄と、上記柄に嵌合されて上記突起に止着された円筒状の拭取り部材とを備えたことを特徴とする口内洗浄具。
【０００５】
柄に突起を有することにより、円筒状の拭取り部材が柄にしっかりと取付けられて外れ難いという効果がある。円筒状の拭取り部材は、その中心孔が貫通あるいは未貫通の場合を含むものである。いずれの中心孔を備えた拭取り部材でも、突起によるすべり止め効果や位置決め効果の向上が期待できる。
構成１は、構造簡単で安価に製作することができ、実用的である。
【０００６】
〈構成２〉
構成１記載の口内洗浄具において、上記柄の、上記拭取り部材を取付けた側の先端部を曲面としたことを特徴とする口内洗浄具。
【０００７】
柄の取付部側の先端部を曲面としたことにより、同先端部が口内面に接しても口内を損傷させることがない。
【０００８】
〈構成３〉
構成１又は２に記載の口内洗浄具において、上記突起は、頂部が曲面をなすと共に周縁部が上記柄の外周面より径方向に突出する傘状部材を、上記柄の先端部に嵌着してなるものであることを特徴とする口内洗浄具。
【０００９】
傘状部材の頂部が曲面をなすことによって使用時の口内損傷を防止でき、しかも傘状部材の周縁部が柄の外周面から突出していることにより、拭取り部材が柄にしっかりと取付けられて外れ難い。
【００１０】
〈構成４〉
構成１又は２に記載の口内洗浄具において、上記突起は、上記拭取り部材の一端面を押えるストッパを上記柄に配設したものであることを特徴とする口内洗浄具。
【００１１】
ストッパは拭取り部材の位置決め機能を有する。
【００１２】
〈構成５〉
構成１又は２に記載の口内洗浄具において、上記突起は、上記柄の先端部にねじ溝を形成してなるものであることを特徴とする口内洗浄具。
【００１３】
ねじ溝を形成するだけで突起を容易に形成することができる。
【考案を実施するための最良の形態】
【００１４】
以下、本考案の実施の形態を実施例ごとに説明する。
【実施例１】
【００１５】
図１は実施例１の口内洗浄具を示す斜視図、図２は同口内洗浄具の柄を示す斜視図である。図１に示すように、実施例１の口内洗浄具は、丸棒状の柄１２と、この柄１２の一端部に嵌合された円筒状の拭取り部材１４とを備えている。
【００１６】
柄１２は、例えば耐衝撃性ポリスチレン等のプラスチックあるいは木材により、外径約４ｍｍ、長さ１５０ｍｍ程度の丸棒状に形成されている。柄１２は、丸棒状に限らず横断面扁平に形成されてもよい。
柄１２の一端部の外周面には、図２にも示すように径方向に突出する複数の突起１６が設けられている。これらの突起１６は、円筒状の拭取り部材１４を柄１２に固定するもので、柄１２と一体に成形され、あるいは別に成形されて柄１２に接着剤により接着されてもよい。
【００１７】
拭取り部材１４は、発泡ウレタン樹脂等の柔らかなスポンジを適当な大きさの円筒体に形成されている。拭取り部材１４は、その軸心に柄１２の外径より小さい内径の中心孔が設けられ、この中心孔を柄１２に嵌合し、突起１６により止着されている。なお、この中心孔は貫通していなくともよい。拭取り部材１４は、突起１６から強制的に離脱することにより、適時、新旧交換可能である。
【００１８】
突起１６は、拭取り部材１４を柄１２に挿入して取付ける際に、拭取り部材１４が挿入し易くかつ離脱し難い形状に形成されていることが製作上好ましい。すなわち、突起１６は、例えば、拭取り部材１４の挿入方向（図中、右方向）に対しては若干傾斜あるいは曲折し、その反対方向に対しては先端が食い込む形状とされることが好ましい。突起１６は、図示のように柄１２の一面だけでなく、柄１２の周囲に設けられてもよく、また、個数も拭取り部材１４の材質、大きさ等の状況に応じて決定される。
【００１９】
図２に示すように、柄１２の、拭取り部材１４を取付けた側の先端部１８は、半球面状の曲面とされている。この曲面は、先端部１８の周縁部を面取りした曲面でもよい。先端部１８を曲面とすることによって口内面との接触をソフトにする。
【００２０】
このように構成された口内洗浄具は、円筒状の拭取り部材１４を使って口内の汚れを拭き取るものである。拭取り部材１４が円筒状となっていることから、拭取り部材１４の任意の面で拭取りが可能である。柄１２に突起１６を有することにより、拭取り部材１４が柄１２にしっかりと取付けられて外れ難く、柄１２の取付部側の先端部１８を曲面としたことにより、同先端部１８が口内面に接しても口内を損傷させることがないという効果を奏する。また、簡易構成であるから、安価に製作することができ実用的である。円筒状の拭取り部材１４の中心孔が貫通あるいは未貫通の場合でも突起１６によるすべり止め効果や位置決め効果の向上が期待できる。
【実施例２】
【００２１】
図３は実施例２の口内洗浄具を示す説明図である。
この口内洗浄具は、実施例１のものとは突起の構成が相違するものである。すなわち、柄１２Ａの一端部には傘状部材２０とストッパ２４による突起が構成されている。拭取り部材１４Ａは、傘状部材２０とストッパ２４とに跨って配置される。柄１２Ａや拭取り部材１４Ａの大きさや材質は、図２の柄１２や拭取り部材１４とほぼ同じである。
【００２２】
傘状部材２０は、頂部２１が曲面をなすと共に、周縁部２２が柄１２Ａの外周面より径方向に突出するように形成され、柄１２Ａの先端部に嵌着されている。傘状部材２０は柄１２Ａの先端部に接着、圧入あるいは螺合されて固定されている。
【００２３】
傘状部材２０の頂部２１が曲面をなすことによって使用時の口内損傷を防止でき、しかも傘状部材２０の周縁部２２が柄１２Ａの外周面から突出していることにより、拭取り部材１４が柄１２Ａから外れる方向（図中の左方向）に移動することを防止する。
【００２４】
ストッパ２４は、図３に示したようなリング状部材、あるいは図示しないが、放射状に延びる複数の棒状部材からなり、拭取り部材１４Ａの一端面を押えうる所定の位置に設けられている。ストッパ２４の取付位置を定位置とすることにより、拭取り部材１４Ａを常時一定の位置に取付けることができる。つまり、ストッパ２４は、拭取り部材１４Ａの位置決め機能も有するものである。
【００２５】
ストッパ２４の内方の側面には、必要に応じて、拭取り部材１４Ａの側面に食い込む、横向き突起２５が設けられてもよい。この横向き突起２５により拭取り部材１４Ａの遊転を防止できる。
【実施例３】
【００２６】
図４は実施例３の口内洗浄具を示す説明図である。
この口内洗浄具は、実施例１や実施例２のものとは突起の構成が相違するものである。すなわち、柄１２Ｂの一端部にねじ溝２６を形成することにより、突起を構成したものである。ねじ溝２６はねじ山の高さが１〜２ｍｍ程度で設けられている。拭取り部材１４Ｂは、ねじ溝２６上に配置される。柄１２Ｂ、拭取り部材１４Ｂの大きさや材質は、図２の柄１２、拭取り部材１４とほぼ同じである。
【００２７】
ねじ溝２６は、柄１２Ｂに嵌合された円筒状の拭取り部材１４Ｂの内周面に食い込んで、拭取り部材１４Ｂの移動を押える。柄１２Ｂの、拭取り部材１４Ｂを取付けた側の先端部２８も、口内損傷防止のために半球面状の曲面とされている。必要に応じて僅かな量の接着剤を使用して補助的に柄１２Ｂに接着されてもよい。
【００２８】
この口内洗浄具によれば、拭取り部材１４Ｂを押える突起の製作が容易である。
【図面の簡単な説明】
【００２９】
【図１】実施例１の口内洗浄具を示す斜視図。
【図２】同口内洗浄具の柄を示す斜視図。
【図３】実施例２の口内洗浄具を示す説明図。
【図４】実施例３の口内洗浄具を示す説明図。
【符号の説明】
【００３０】
１２  柄
１４  拭取り部材 １６  突起
１８  先端部
２０  傘状部材
２１  頂部
２２  周縁部
２４  ストッパ
【図１】
0003108720.tif 000003
【図２】
0003108720.tif 000004
【図３】
0003108720.tif 000005
【図４】
0003108720.tif 000006